(57)【要約】【課題】光電変換部から溢れた電荷が、フローティングディフュージョンを共有する隣接画素の当該フローティングディフュージョンに流れ込むことを阻止できるようにする。【解決手段】本開示の固体撮像素子は、光電変換部を含む単位画素が行列状に２次元配置され、複数の単位画素間でフローティングディフュージョンを共有する画素アレイ部と、電荷を読み出す読出し画素のフローティングディフュージョンのリセット期間に、読出し画素とフローティングディフュージョンを共有する非読出し画素の電荷の一部をフローティングディフュージョンに捨てる駆動を行う駆動部と、を備える。【選択図】  図７
2018078405.tif 000002
【特許請求の範囲】
【請求項１】
光電変換部を含む単位画素が行列状に２次元配置され、複数の単位画素間でフローティングディフュージョンを共有する画素アレイ部と、
電荷を読み出す読出し画素のフローティングディフュージョンのリセット期間に、読出し画素とフローティングディフュージョンを共有する非読出し画素の電荷の一部をフローティングディフュージョンに捨てる駆動を行う駆動部と、
を備える固体撮像素子。
【請求項２】
駆動部は、読出し画素のフローティングディフュージョンのリセット期間に、非読出し画素の光電変換部とフローティングディフュージョンとの間の転送ゲート部のゲート下の障壁の高さを、電荷非転送時よりも下げる、
請求項１に記載の固体撮像素子。
【請求項３】
駆動部は、読出し画素のフローティングディフュージョンのリセット期間に、転送ゲート部のゲート電極に、電荷転送時の電圧よりも低い電圧を印加する、
請求項２に記載の固体撮像素子。
【請求項４】
フローティングディフュージョンを共有する非読出し画素は、被写体像の位相差を利用して被写体との距離を測定する位相差検出を行うための位相差検出画素である、
請求項１に記載の固体撮像素子。
【請求項５】
位相差検出画素は、第１の光電変換部及び第２の光電変換部を有し、
第１の光電変換部は、位相差検出画素の第１側に隣接する画素とフローティングディフュージョンを共有し、
第２の光電変換部は、位相差検出画素の第２側に隣接する画素とフローティングディフュージョンを共有する、
請求項４に記載の固体撮像素子。
【請求項６】
単位画素は、裏面照射型の画素構造を有する、
請求項１に記載の固体撮像素子。
【請求項７】
光電変換部を含む単位画素が行列状に２次元配置され、複数の単位画素間でフローティングディフュージョンを共有する固体撮像素子の駆動に当たって、
電荷を読み出す読出し画素のフローティングディフュージョンのリセット期間に、読出し画素とフローティングディフュージョンを共有する非読出し画素の電荷の一部をフローティングディフュージョンに捨てる、
固体撮像素子の駆動方法。
【請求項８】
読出し画素のフローティングディフュージョンのリセット期間に、非読出し画素の光電変換部とフローティングディフュージョンとの間の転送ゲート部のゲート下の障壁の高さを、電荷非転送時よりも下げる、
請求項７に記載の固体撮像素子の駆動方法。
【請求項９】
読出し画素のフローティングディフュージョンのリセット期間に、転送ゲート部のゲート電極に、電荷転送時の電圧よりも低い電圧を印加する、
請求項８に記載の固体撮像素子の駆動方法。
【請求項１０】
フローティングディフュージョンを共有する非読出し画素は、被写体像の位相差を利用して被写体との距離を測定する位相差検出を行うための位相差検出画素である、
請求項７に記載の固体撮像素子の駆動方法。
【請求項１１】
位相差検出画素は、第１の光電変換部及び第２の光電変換部を有し、
第１の光電変換部は、位相差検出画素の第１側に隣接する画素とフローティングディフュージョンを共有し、
第２の光電変換部は、位相差検出画素の第２側に隣接する画素とフローティングディフュージョンを共有する、
請求項１０に記載の固体撮像素子の駆動方法。
【請求項１２】
単位画素は、裏面照射型の画素構造を有する、
請求項７に記載の固体撮像素子の駆動方法。
【請求項１３】
光電変換部を含む単位画素が行列状に２次元配置され、複数の単位画素間でフローティングディフュージョンを共有する画素アレイ部と、
電荷を読み出す読出し画素のフローティングディフュージョンのリセット期間に、読出し画素とフローティングディフュージョンを共有する非読出し画素の電荷の一部をフローティングディフュージョンに捨てる駆動を行う駆動部と、
を備える固体撮像素子を有する、
電子機器。
【発明の詳細な説明】
【技術分野】
【０００１】
本開示は、固体撮像素子、固体撮像素子の駆動方法、及び、電子機器に関する。
【背景技術】
【０００２】
撮像装置において、自動的に焦点（ピント）が合った状態（即ち、合焦状態）にするオートフォーカス（Auto Focus：ＡＦ）の方式の一つとして、位相差検出方式が知られている。位相差検出方式のオートフォーカスは、２つのセンサーを用いて被写体像の位相差を利用し、被写体と撮像レンズとの間の距離を測定してピントを合わせる方式である。この位相差検出方式のオートフォーカスを実現するために、撮像画像を生成するための通常の撮像画素が行列状に２次元配置されて成る画素アレイ部内に、一部の撮像画素に代えて、位相差検出を行うための位相差検出画素を設けた構成の固体撮像素子がある。
【０００３】
この位相差検出方式のオートフォーカスを実現するための固体撮像素子において、位相差検出画素は複数の光電変換部を有している。また、オートフォーカスの速度と精度の向上を図るために、位相差検出画素の複数の光電変換部の各々が、位相差検出画素に隣接する撮像画素との間で、フローティングディフュージョンを共有するようにしている（例えば、特許文献１参照）。
【先行技術文献】
【特許文献】
【０００４】
【特許文献１】特開２０１５−９１０２５号公報
【発明の概要】
【発明が解決しようとする課題】
【０００５】
ところで、画素アレイ部内に位相差検出画素を設けて成る固体撮像素子において、例えば暗い環境下でも精度良くオートフォーカスを行うために、位相差検出画素を含む画素行の電荷の蓄積時間を、通常の撮像画素を含む画素行に比べて長く設定することがある。このように、位相差検出画素を含む画素行の電荷の蓄積時間を長く設定すると、大光量の入力時に、位相差検出画素の光電変換部がオーバーフローする場合がある。そして、位相差検出画素の光電変換部がオーバーフローすると、位相差検出画素から溢れた電荷が、フローティングディフュージョンを共有する隣接画素の当該フローティングディフュージョンに流れ込み、ブルーミングの発生原因となる。
【０００６】
本開示は、光電変換部から溢れた電荷が、フローティングディフュージョンを共有する隣接画素の当該フローティングディフュージョンに流れ込むことを阻止できる固体撮像素子、固体撮像素子の駆動方法、及び、当該固体撮像素子を有する電子機器を提供することを目的とする。
【課題を解決するための手段】
【０００７】
上記の目的を達成するための本開示の固体撮像素子は、
光電変換部を含む単位画素が行列状に２次元配置され、複数の単位画素間でフローティングディフュージョンを共有する画素アレイ部と、
電荷を読み出す読出し画素のフローティングディフュージョンのリセット期間に、読出し画素とフローティングディフュージョンを共有する非読出し画素の電荷の一部をフローティングディフュージョンに捨てる駆動を行う駆動部と、
を備える。また、上記の目的を達成するための本開示の電子機器は、上記の構成の固体撮像素子を有する。
【０００８】
また、上記の目的を達成するための本開示の固体撮像素子の駆動方法は、
光電変換部を含む単位画素が行列状に２次元配置され、複数の単位画素間でフローティングディフュージョンを共有する固体撮像素子の駆動に当たって、
電荷を読み出す読出し画素のフローティングディフュージョンのリセット期間に、読出し画素とフローティングディフュージョンを共有する非読出し画素の電荷の一部をフローティングディフュージョンに捨てる。
【０００９】
読出し画素のフローティングディフュージョンのリセット期間に、非読出し画素の電荷の一部をフローティングディフュージョンに捨てる。この捨てる動作はリセット期間での動作であるため、捨てられた電荷がフローティングディフュージョンに残存しない。従って、非読出し画素の電荷の一部を、読出し画素のフローティングディフュージョンのリセット期間にあらかじめ、共有するフローティングディフュージョンに捨てることにより、大光量の入力時に、非読出し画素の光電変換部がオーバーフローしないようにすることができる。これにより、フローティングディフュージョンを共有する隣接画素の当該フローティングディフュージョンに、非読出し画素の電荷が流れ込むことを阻止できる。
【発明の効果】
【００１０】
本開示によれば、フローティングディフュージョンを共有する隣接画素の当該フローティングディフュージョンに、非読出し画素の電荷が流れ込むことを阻止できるため、オーバーフローに起因するブルーミングの発生を抑えることができる。
【００１１】
尚、ここに記載された効果に必ずしも限定されるものではなく、本明細書中に記載されたいずれかの効果であってもよい。また、本明細書に記載された効果はあくまで例示であって、これに限定されるものではなく、また付加的な効果があってもよい。
【図面の簡単な説明】
【００１２】
【図１】図１は、本開示の一実施形態に係る固体撮像素子の基本的なシステム構成を示すシステム構成図である。
【図２】図２Ａは、画素アレイ部の画素配置について説明する図であり、図２Ｂは、画素間でフローティングディフュージョンを共有する画素共有について説明する図である。
【図３】図３は、フローティングディフュージョンを共有する撮像画素及び位相差検出画素の回路構成の一例を示す回路図である。
【図４】図４は、ブルーミングの発生原因についての説明図である。
【図５】図５は、本開示の技術を適用しない場合の画素動作を説明するためのタイミングチャートである。
【図６】図６Ａは、図５のタイミングｔ11における動作説明図であり、図６Ｂは、図５のタイミングｔ12における動作説明図であり、図６Ｃは、図５のタイミングｔ13における動作説明図である。
【図７】図７は、本開示の技術を適用する場合の実施例に係る画素動作を説明するためのタイミングチャートである。
【図８】図８Ａは、図７のタイミングｔ21における動作説明図であり、図８Ｂは、図７のタイミングｔ22における動作説明図であり、図８Ｃは、図７のタイミングｔ23における動作説明図である。
【図９】図９は、裏面照射型の画素構造の一例を示す断面図である。
【図１０】図１０は、本開示の電子機器の一例である撮像装置のシステム構成の概略を示すブロック図である。
【発明を実施するための形態】
【００１３】
以下、本開示の技術を実施するための形態（以下、「実施形態」と記述する）について図面を用いて詳細に説明する。本開示の技術は実施形態に限定されるものではない。以下の説明において、同一要素又は同一機能を有する要素には同一符号を用いることとし、重複する説明は省略する。尚、説明は以下の順序で行う。
１．本開示の固体撮像素子、その駆動方法、及び、電子機器、全般に関する説明
２．基本的なシステム構成
３．画素アレイ部の画素配置
４．単位画素の回路構成
５．ブルーミングの発生について
６．ブルーミング対策について
６−１．実施例（ブルーミング対策の具体例）
７．裏面照射型の画素構造
８．変形例
９．電子機器
９−１．撮像装置
１０．本開示がとることができる構成
【００１４】
＜本開示の固体撮像素子、その駆動方法、及び、電子機器、全般に関する説明＞
本開示の固体撮像素子、その駆動方法、及び、電子機器にあっては、駆動部について、読出し画素のフローティングディフュージョンのリセット期間に、非読出し画素の光電変換部とフローティングディフュージョンとの間の転送ゲート部のゲート下の障壁の高さを、電荷非転送時よりも下げる構成とすることができる。また、駆動部について、読出し画素のフローティングディフュージョンのリセット期間に、転送ゲート部のゲート電極に、電荷転送時の電圧よりも低い電圧を印加する構成とすることができる。
【００１５】
上述した好ましい構成を含む本開示の固体撮像素子、その駆動方法、及び、電子機器にあっては、フローティングディフュージョンを共有する非読出し画素を、被写体像の位相差を利用して被写体との距離を測定する位相差検出を行うための位相差検出画素である構成とすることができる。
【００１６】
また、上述した好ましい構成を含む本開示の固体撮像素子、その駆動方法、及び、電子機器にあっては、位相差検出画素について、第１の光電変換部及び第２の光電変換部を有する構成とすることができる。このとき、第１の光電変換部について、位相差検出画素の第１側に隣接する画素とフローティングディフュージョンを共有することが好ましい。また、第２の光電変換部について、位相差検出画素の第２側に隣接する画素とフローティングディフュージョンを共有することが好ましい。
【００１７】
また、上述した好ましい構成を含む本開示の固体撮像素子、その駆動方法、及び、電子機器にあっては、単位画素について、裏面照射型の画素構造を有する構成とすることが好ましい。
【００１８】
［基本的なシステム構成］
図１は、本開示の一実施形態に係る固体撮像素子の基本的なシステム構成を示すシステム構成図である。ここでは、本実施形態に係る固体撮像素子として、Ｘ−Ｙアドレス方式の固体撮像素子の一種であるＣＭＯＳイメージセンサを例に挙げて説明する。ＣＭＯＳイメージセンサとは、ＣＭＯＳプロセスを応用して、または、部分的に使用して作成されたイメージセンサである。
【００１９】
本実施形態に係る固体撮像素子１０は、図示せぬ半導体基板（半導体チップ）上に形成された画素アレイ部１１と、当該画素アレイ部１１と同じ半導体基板上に集積された周辺回路部とを有する構成となっている。周辺回路部は、例えば、垂直駆動部１２、カラム処理部１３、水平駆動部１４、及び、システム制御部１５から構成されている。
【００２０】
固体撮像素子１０は更に、信号処理部１８及びデータ格納部１９を備えている。信号処理部１８及びデータ格納部１９については、固体撮像素子１０と同じ基板上に搭載しても構わないし、固体撮像素子１０とは別の基板上に配置するようにしても構わない。また、信号処理部１８及びデータ格納部１９の各処理については、固体撮像素子１０とは別の基板に設けられる外部信号処理部、例えば、ＤＳＰ(Digital Signal Processor)回路やソフトウェアによる処理でも構わない。
【００２１】
画素アレイ部１１は、光電変換を行うことで、受光した光量に応じた光電荷を生成し、かつ、蓄積する光電変換部を含む単位画素（以下、単に「画素」と記述する場合がある）２０が行方向及び列方向に、即ち、行列状に２次元配置された構成となっている。ここで、行方向とは画素行の画素の配列方向（即ち、水平方向）を言い、列方向とは画素列の画素の配列方向（即ち、垂直方向）を言う。単位画素２０の具体的な回路構成や画素構造の詳細については後述する。
【００２２】
画素アレイ部１１において、行列状の画素配列に対して、画素行毎に画素駆動線１６（１６1〜１６m）が行方向に沿って配線され、画素列毎に垂直信号線１７（１７1〜１７n）が列方向に沿って配線されている。画素駆動線１６は、画素から信号を読み出す際の駆動を行うための、後述する駆動信号を伝送する。図１では、画素駆動線１６について１本の配線として示しているが、１本に限られるものではない。画素駆動線１６の一端は、垂直駆動部１２の各行に対応した出力端に接続されている。
【００２３】
垂直駆動部１２は、シフトレジスタやアドレスデコーダなどによって構成され、画素アレイ部１１の各画素２０を全画素同時あるいは行単位等で駆動する。すなわち、垂直駆動部１２は、当該垂直駆動部１２を制御するシステム制御部１５と共に、画素アレイ部１１の各画素２０を駆動する駆動部を構成している。この垂直駆動部１２はその具体的な構成については図示を省略するが、一般的に、読出し走査系と掃出し走査系の２つの走査系を有する構成となっている。
【００２４】
読出し走査系は、単位画素２０から信号を読み出すために、画素アレイ部１１の単位画素２０を行単位で順に選択走査する。単位画素２０から読み出される信号はアナログ信号である。掃出し走査系は、読出し走査系によって読出し走査が行われる読出し行に対し、その読出し走査よりもシャッタスピードの時間分だけ先行して掃出し走査を行う。
【００２５】
この掃出し走査系による掃出し走査により、読出し行の単位画素２０の光電変換部から不要な電荷が掃き出されることによって当該光電変換部がリセットされる。そして、この掃出し走査系による不要電荷の掃き出す（リセットする）ことにより、所謂電子シャッタ動作が行われる。ここで、電子シャッタ動作とは、光電変換部の光電荷を捨てて、新たに露光を開始する（光電荷の蓄積を開始する）動作のことを言う。
【００２６】
読出し走査系による読出し動作によって読み出される信号は、その直前の読出し動作または電子シャッタ動作以降に受光した光量に対応するものである。そして、直前の読出し動作による読出しタイミングまたは電子シャッタ動作による掃出しタイミングから、今回の読出し動作による読出しタイミングまでの期間が、単位画素２０における光電荷の露光期間となる。
【００２７】
垂直駆動部１２によって選択走査された画素行の各単位画素２０から出力される信号は、画素列毎に垂直信号線１７の各々を通してカラム処理部１３に入力される。カラム処理部１３は、画素アレイ部１１の画素列毎に、選択行の各画素２０から垂直信号線１７を通して出力される信号に対して所定の信号処理を行うとともに、信号処理後の画素信号を一時的に保持する。
【００２８】
具体的には、カラム処理部１３は、信号処理として少なくとも、ノイズ除去処理、例えばＣＤＳ(Correlated Double Sampling;相関二重サンプリング）処理や、ＤＤＳ（Double Data Sampling）処理を行う。例えば、ＣＤＳ処理により、リセットノイズや画素２０内の増幅トランジスタの閾値ばらつき等の画素固有の固定パターンノイズが除去される。カラム処理部１３にノイズ除去処理以外に、例えば、ＡＤ（アナログ−デジタル）変換機能を持たせ、アナログの画素信号をデジタル信号に変換して出力することも可能である。
【００２９】
水平駆動部１４は、シフトレジスタやアドレスデコーダなどによって構成され、カラム処理部１３の画素列に対応する単位回路を順番に選択する。この水平駆動部１４による選択走査により、カラム処理部１３において単位回路ごとに信号処理された画素信号が順番に出力される。
【００３０】
システム制御部１５は、各種のタイミング信号を生成するタイミングジェネレータなどによって構成され、当該タイミングジェネレータで生成された各種のタイミングを基に、垂直駆動部１２、カラム処理部１３、及び、水平駆動部１４などの駆動制御を行う。
【００３１】
信号処理部１８は、少なくとも演算処理機能を有し、カラム処理部１３から出力される画素信号に対して演算処理等の種々の信号処理を行う。データ格納部１９は、信号処理部１８での信号処理に当たって、その処理に必要なデータを一時的に格納する。
【００３２】
上記の構成の固体撮像素子１０において、本開示の技術は、単位画素２０の回路構成及び単位画素２０の駆動部、特に、垂直駆動部１２の駆動タイミングを特徴としている。単位画素２０の回路構成及び垂直駆動部１２の駆動タイミングの具体的な実施例については後述する。
【００３３】
尚、上記のシステム構成は、一例であって、これに限られるものではない。例えば、データ格納部１９をカラム処理部１３の後段に配置し、カラム処理部１３から出力される画素信号を、データ格納部１９を経由して信号処理部１８に供給するシステム構成であってもよい。あるいは又、画素アレイ部１１の列ごとあるいは複数の列ごとにＡＤ変換するＡＤ変換機能をカラム処理部１３に持たせるとともに、当該カラム処理部１３に対してデータ格納部１９及び信号処理部１８を並列的に設けるシステム構成であってもよい。
【００３４】
［画素アレイ部の画素配置］
次に、本実施形態に係る固体撮像素子１０の画素アレイ部１１の画素配置について、図２Ａ及び図２Ｂを用いてより具体的に説明する。図２Ａは、画素アレイ部１１の画素配置について説明する図であり、図２Ｂは、画素間でフローティングディフュージョンを共有する画素共有について説明する図である。
【００３５】
単位画素２０は、撮像画像を生成するための通常の撮像画素２１と、位相差検出を行うための位相差検出画素２２とから成る。図２Ａに示すように、撮像画素２１（図中、白抜きの正方形）は、画素アレイ部１１に行列状に２次元配置されている。撮像画素２１は、赤色カラーフィルタ層が形成されて赤色光を受光するＲ画素、緑色カラーフィルタ層が形成されて緑色光を受光するＧ画素、及び、青色カラーフィルタ層が形成されて青色光を受光するＢ画素から成り、これらの画素がベイヤー配列に従い規則的に配置されている。
【００３６】
ここでは、ＲＧＢの各画素の配列を例示したが、これは一例であってＲＧＢの画素配列に限られるものではない。例えば、白色光を受光する画素や、黄色などの補色光を受光する画素を含む画素配列であってもよい。
【００３７】
図２Ａに示すように、位相差検出画素２２（図中、網掛けの正方形）は、行列状に２次元配置された撮像画素２１の中に散在している。具体的には、位相差検出画素２２は、画素アレイ部１１において、一部の撮像画素２１に代えて、特定のパターンで規則的に配置されている。尚、撮像画素２１及び位相差検出画素２２の配置は、図２Ａに示す配置に限られるものではなく、他のパターンで配置されるようにしてもよい。
【００３８】
図２Ｂに示すように、撮像画素２１は、１つの光電変換部３１を備えている。撮像画素２１は、受光した被写体の像光を光電変換部３１で光電変換することにより、撮像画像を生成するための信号を出力する。位相差検出画素２２は、第１の光電変換部３２Ａ及び第２の光電変換部３２Ｂを備えている。第１の光電変換部３２Ａ及び第２の光電変換部３２Ｂは、被写体像の位相差を利用して被写体との距離を測定する位相差検出に用いられる。すなわち、位相差検出画素２２は、受光した被写体の像光を第１の光電変換部３２Ａ及び第２の光電変換部３２Ｂで光電変換することにより、位相差検出方式のオートフォーカスに用いる、位相差検出を行うための信号を出力する。
【００３９】
位相差検出画素２２において、第１の光電変換部３２Ａ及び第２の光電変換部３２Ｂは、後述するフローティングディフュージョン（浮遊拡散領域／不純物拡散領域）を、位相差検出画素２２に隣接する撮像画素２１の光電変換部３１と共用する。例えば、図２Ｂに示すように、第１の光電変換部３２Ａは、位相差検出画素２２の第１側（図の下側）に隣接する撮像画素２１の光電変換部３１とフローティングディフュージョンを共有する（図中、破線ａで囲む組み合わせ）。第２の光電変換部３２Ｂは、位相差検出画素２２の第２側（図の右側）に隣接する撮像画素２１の光電変換部３１とフローティングディフュージョンを共有する（図中、破線ｂで囲む組み合わせ）。
【００４０】
位相差検出画素２２と当該位相差検出画素２２の第１側に隣接する撮像画素２１との間で共有されるフローティングディフュージョンは、光電変換部３１又は第１の光電変換部３２Ａで光電変換された電荷を電圧に変換する。位相差検出画素２２と当該位相差検出画素２２の第２側に隣接する撮像画素２１との間で共有されるフローティングディフュージョンは、光電変換部３１又は第２の光電変換部３２Ｂで光電変換された電荷を電圧に変換する。
【００４１】
尚、位相差検出画素２２と当該位相差検出画素２２に隣接する撮像画素２１との組み合わせについては、図２Ｂに示す組み合わせに限られるものではない。例えば、位相差検出画素２２と、当該位相差検出画素２２に対して上下に隣接する撮像画素２１との組み合わせ等であってもよい。図２Ｂにおいて、Ｇｒ画素は、Ｒ画素を含む画素行のＧ画素を意味し、Ｇｂ画素は、Ｂ画素を含む画素行のＧ画素を意味している。
【００４２】
［単位画素の回路構成］
次に、フローティングディフュージョンを共有する撮像画素２１及び位相差検出画素２２の回路構成について図３を用いて説明する。図３は、フローティングディフュージョンを共有する撮像画素２１及び位相差検出画素２２の回路構成の一例を示す回路図である。図３には、図２Ｂにおける１つの位相差検出画素２２の回路構成、及び、当該位相差検出画素２２に隣接する２つの撮像画素２１Ｇｒ，２１Ｇｂの回路構成を図示している。
【００４３】
撮像画素２１Ｇｒ，２１Ｇｂはそれぞれ、光電変換部３１に加えて、転送ゲート部である転送トランジスタ４１、フローティングディフュージョン（ＦＤ）４２、リセットトランジスタ４３、増幅トランジスタ４４、及び、選択トランジスタ４５を有している。光電変換部３１は、例えばフォトダイオードＰＤから成る。
【００４４】
また、位相差検出画素２２は、第１の光電変換部３２Ａ及び第２の光電変換部３２Ｂに加えて、光電変換部３２Ａ，３２Ｂそれぞれに対応する転送トランジスタ（転送ゲート部）４１、フローティングディフュージョン４２、リセットトランジスタ４３、増幅トランジスタ４４、及び、選択トランジスタ４５を有している。第１の光電変換部３２Ａ及び第２の光電変換部３２Ｂは、例えばフォトダイオードＰＤから成る。
【００４５】
ここで、位相差検出画素２２において、第１の光電変換部３２Ａは、位相差検出画素２２に対してその下側に隣接する撮像画素２１Ｇｒ（図２Ｂ参照）の光電変換部３１と、フローティングディフュージョン４２、増幅トランジスタ４４、及び、選択トランジスタ４５を共有している。また、第２の光電変換部３２Ｂは、位相差検出画素２２に対してその右側に隣接する撮像画素２１Ｇｂ（図２Ｂ参照）の光電変換部３１と、フローティングディフュージョン４２、増幅トランジスタ４４、及び、選択トランジスタ４５を共有している。
【００４６】
転送トランジスタ４１は、垂直駆動部１２（図１参照）から転送パルスＴＲＧがゲート電極に印加されることにより、光電変換部３１／第１の光電変換部３２Ａ／第２の光電変換部３２Ｂで光電変換された電荷をフローティングディフュージョン４２に転送する。フローティングディフュージョン４２は、光電変換部３１／第１の光電変換部３２Ａ／第２の光電変換部３２Ｂから転送された（読み出された）電荷を電圧に変換する。リセットトランジスタ４３は、垂直駆動部１２からリセットパルスＲＳＴがゲート電極に印加されることにより、フローティングディフュージョン４２をリセットする。
【００４７】
増幅トランジスタ４４は、フローティングディフュージョン４２で電圧に変換された画素信号を、選択トランジスタ４５を通して垂直信号線１７に出力する。選択トランジスタ４５は、垂直駆動部１２から選択パルスＳＥＬが印加されることにより、垂直信号線１７に対して増幅トランジスタ４４を選択的に接続する。
【００４８】
上述したように、位相差検出画素２２において、２つの光電変換部３２Ａ，３２Ｂが、それぞれ異なる隣接画素のフローティングディフュージョン４２及び増幅トランジスタ４４を共有しているため、２つの光電変換部３２Ａ，３２Ｂそれぞれの露光及び読出しを同時に行うことができる。
【００４９】
上記の回路構成において、例えば位相差検出画素２２の第１の光電変換部３２Ａに関して、図３に破線で示す、第１の光電変換部３２Ａ→転送トランジスタ４１→リセットトランジスタ４３→電源ＶDDの経路が、オーバーフローパスとなる。
【００５０】
［ブルーミングの発生について］
上述した位相差検出画素２２を備える固体撮像素子１０において、例えば暗い環境下でも精度良くオートフォーカスを行うために、位相差検出画素２２を含む画素行の電荷の蓄積時間（露光時間）を、撮像画素２１Ｇｒ，２１Ｇｂを含む画素行に比べて長く設定することがある。蓄積時間を長く設定すると、大光量の入力時に、位相差検出画素２２の第１の光電変換部３２Ａ及び第２の光電変換部３２Ｂがオーバーフローし、ブルーミングの発生原因となる。
【００５１】
ここで、ブルーミングの発生原因について、図４を用いて具体的に説明する。図４は、ブルーミングの発生原因についての説明図である。
【００５２】
図４において、ＸＶＳは垂直同期信号を示し、Ｔは位相差検出画素２２の光電変換部３２Ａ，３２Ｂで電荷が溢れるまでの時間を示している。また、白抜きの破線の四角はシャッタタイミングの位相差検出画素２２を示し、網掛けの破線の四角は読出しタイミングの位相差検出画素２２を示し、白抜きの実線の四角はシャッタタイミングの撮像画素２１を示し、網掛けの実線の四角は読出しタイミングの撮像画素２１を示している。
【００５３】
位相差検出画素２２の読出しタイミング後、第１の光電変換部３２Ａ及び第２の光電変換部３２Ｂには不要電荷の蓄積が行われ、時間Ｔが経過すると、第１の光電変換部３２Ａ及び第２の光電変換部３２Ｂから電荷が溢れる（オーバーフロー）。そして、第１の光電変換部３２Ａ及び第２の光電変換部３２Ｂがオーバーフローすると、位相差検出画素２２から溢れた電荷が、撮像画素２１と共有するフローティングディフュージョン４２に流れ込み、当該フローティングディフュージョン４２に蓄積される。
【００５４】
これにより、撮像画素２１において、光電変換部３１からフローティングディフュージョン４２に電荷が読み出されたときに、第１の光電変換部３２Ａ及び第２の光電変換部３２Ｂからオーバーフローした不要電荷が、撮像画素２１にとって余分な電荷として、本来の信号電荷に上乗せされた形となる。その結果、ブルーミングが発生し、これが白浮きの横筋として視認され、撮像画像の画質の悪化を招く一因となる。
【００５５】
尚、ここでは、位相差検出画素２２を含む画素行の電荷の蓄積時間を長く設定した場合を例に挙げて説明したが、位相差検出画素２２を含む画素行に限られるものではなく、通常の撮像画素２１を含む画像行についても、蓄積時間の設定によってブルーミングが発生することが考えられる。
【００５６】
通常の撮像画素２１を含む画像行におけるブルーミング発生について、図５及び図６を用いて説明する。図５は、本開示の技術を適用しない場合の画素動作を説明するためのタイミングチャートであり、図６は、図５の各タイミングにおける光電変換部（ＰＤ）のポテンシャル、転送ゲート部（転送トランジスタ４１）のゲート下の障壁、及び、フローティングディフュージョン（ＦＤ）のポテンシャルを示す動作説明図である。
【００５７】
図５には、蓄積された電荷を読み出す読出し画素を含む画素行の転送パルスＴＲＧ、当該読出し画素と同一のフローティングディフュージョン４２を共有する非読出し画素を含む画素行の転送パルスＴＲＧ、及び、リセットパルスＲＳＴのタイミング関係を示している。ここでは、一例として、読出し画素をＧｒ画素とし、非読出し画素をＢ画素としている。
【００５８】
図６Ａには、図５のタイミングｔ11における動作説明図を示し、図６Ｂには、図５のタイミングｔ12における動作説明図を示し、図６Ｃには、図５のタイミングｔ13における動作説明図を示している。ここで、タイミングｔ11は、フローティングディフュージョンＦＤのリセットタイミングである。タイミングｔ12は、フローティングディフュージョンＦＤのリセット後の信号（所謂、Ｐ相）の読出しタイミングである。タイミングｔ13は、光電変換部ＰＤからフローティングディフュージョンＦＤへ電荷を読み出した後の信号（所謂、Ｄ相）の読出しタイミングである。
【００５９】
図６Ａに示すように、フローティングディフュージョンＦＤのリセット後、非読出し画素であるＢ画素が飽和レベルに達する。そして、図６Ｂに示すように、Ｐ相の期間において、Ｂ画素の不要電荷が転送トランジスタ４１のゲート下の障壁を越えて、Ｇｒ画素と共有するフローティングディフュージョンＦＤに流れ込む。このオーバーフローした不要電荷が、図６Ｃに示すように、Ｄ相の期間で、Ｇｒ画素の本来の信号電荷に上乗せとなり、その結果、隣接画素からの不要電荷のオーバーフローに起因するブルーミングが発生し、白浮きの横筋として視認される。
【００６０】
［ブルーミング対策について］
そこで、本実施形態に係る固体撮像素子１０では、電荷を読み出す読出し画素のフローティングディフュージョンＦＤのリセット期間に、当該読出し画素とフローティングディフュージョンＦＤを共有する非読出し画素の電荷の一部をフローティングディフュージョンＦＤに捨てる。非読出し画素の電荷の一部を捨てる動作は、フローティングディフュージョンＦＤのリセット期間であるため、捨てられた電荷がフローティングディフュージョンＦＤに残存することはない。
【００６１】
従って、非読出し画素の電荷の一部を、読出し画素のフローティングディフュージョンＦＤのリセット期間にあらかじめ、当該読出し画素と共有するフローティングディフュージョンＦＤに捨てることにより、大光量の入力時に、非読出し画素の光電変換部ＰＤがオーバーフローしないようにすることができる。これにより、フローティングディフュージョンＦＤを共有する隣接画素の当該フローティングディフュージョンＦＤに、非読出し画素の不要電荷が流れ込むことを阻止できるため、隣接画素からの不要電荷のオーバーフローに起因するブルーミングの発生を抑制することができる。
【００６２】
（実施例）
以下に、読出し画素のフローティングディフュージョンＦＤのリセット期間に、非読出し画素の電荷の一部を、共有するフローティングディフュージョンＦＤに捨てる具体的な実施例について説明する。
【００６３】
本実施例では、読出し画素のフローティングディフュージョンＦＤのリセット期間に、転送トランジスタ（転送ゲート部）４１のゲート下の障壁の高さを、電荷非転送時よりも下げることにより、非読出し画素の電荷の一部を、読出し画素と共有するフローティングディフュージョンＦＤに捨てることを特徴としている。より具体的には、転送トランジスタ４１のゲート電極に転送パルスＴＲＧとして、電荷転送時の電圧よりも低い電圧、例えば半分程度の電圧（所謂、ハーフバイアス）を印加することにより、転送トランジスタ４１のゲート下の障壁の高さを電荷非転送時よりも下げるようにする。
【００６４】
本実施例について、図７及び図８を用いて具体的に説明する。図７は、本開示の技術を適用する場合の実施例に係る画素動作を説明するためのタイミングチャートであり、図８は、図７の各タイミングにおける光電変換部（ＰＤ）のポテンシャル、転送ゲート部（転送トランジスタ４１）のゲート下の障壁、及び、フローティングディフュージョン（ＦＤ）のポテンシャルを示す動作説明図である。
【００６５】
図７には、蓄積された電荷を読み出す読出し画素を含む画素行の転送パルスＴＲＧ、当該読出し画素と同一のフローティングディフュージョン４２を共有する非読出し画素を含む画素行の転送パルスＴＲＧ、及び、リセットパルスＲＳＴのタイミング関係を示している。ここでは、一例として、読出し画素をＧｒ画素とし、非読出し画素をＢ画素としている。転送パルスＴＲＧ及びリセットパルスＲＳＴは、図１に示す垂直駆動部１２から画素駆動線１６（１６1〜１６m）を通して、単位画素２０（撮像画素２１や位相差検出画素２２）に対して画素行単位で出力される。
【００６６】
図７に示すように、読出し画素のフローティングディフュージョンＦＤのリセット期間において、フローティングディフュージョンＦＤを共有する非読出し画素の転送パルスＴＲＧとして、電荷転送時の電圧よりも低い電圧（例えば、ハーフバイアス）を印加することを特徴としている。
【００６７】
図８Ａには、図７のタイミングｔ21における動作説明図を示し、図８Ｂには、図７のタイミングｔ22における動作説明図を示し、図８Ｃには、図７のタイミングｔ23における動作説明図を示している。ここで、タイミングｔ21は、フローティングディフュージョンＦＤのリセットタイミングである。タイミングｔ22は、フローティングディフュージョンＦＤのリセット後の信号（Ｐ相）の読出しタイミングである。タイミングｔ23は、光電変換部ＰＤからフローティングディフュージョンＦＤへ電荷を読み出した後の信号（Ｄ相）の読出しタイミングである。
【００６８】
読出し画素であるＧｒ画素のフローティングディフュージョンＦＤのリセット期間において、非読出し画素であるＢ画素の転送パルスＴＲＧをハーフバイアスとすることで、図８Ａに示すように、Ｂ画素の転送トランジスタ４１のゲート下の障壁の高さを電荷非転送時よりも下げる。これにより、Ｂ画素の過剰電荷が、リセット状態にあるフローティングディフュージョンＦＤに捨てられる。
【００６９】
Ｐ相の期間に入る前に、転送パルスＴＲＧを非転送レベルに戻す。これにより、図８Ｂに示すように、Ｇｒ画素の転送トランジスタ４１のゲート下の障壁の高さが電荷非転送時の高さに上がる。Ｂ画素の過剰電荷をあらかじめフローティングディフュージョンＦＤに捨てているため、障壁の高さが上がることで、Ｂ画素の不要電荷がフローティングディフュージョンＦＤにオーバーフローすることはない。そして、図８Ｃに示すように、Ｄ相の期間では、Ｇｒ画素の本来の信号電荷がフローティングディフュージョンＦＤに読み出されるため、隣接画素からの不要電荷のオーバーフローに起因するブルーミングの発生を抑制することができる。
【００７０】
［裏面照射型の画素構造］
以上説明した本実施形態に係るブルーミング対策の手法は、単位画素２０が、表面照射型の画素構造にも適用できるが、裏面照射型の画素構造に適用した方がその効果が顕著である。ここで、「裏面照射型の画素構造」とは、半導体基板の配線層が形成される側の第１面を基板表面とするとき、第１面と反対側の第２面、即ち基板裏面側（半導体基板の裏側）から入射光を取り込む（光が照射される）画素構造を言う。逆に、「表面照射型の画素構造」とは、基板表面側から入射光を取り込む（光が照射される）画素構造を言う。
【００７１】
ここで、裏面照射型の画素構造の概略について、図９を用いて説明する。図９は、裏面照射型の画素構造の一例を示す断面図である。ここでは、２画素分の断面構造を示している。
【００７２】
図９において、半導体基板５１には、光電変換部（フォトダイオード）３１や画素トランジスタ（図３のトランジスタ４１，４３〜４５）が形成されている。そして、半導体基板５１の基板裏面側には、絶縁膜５２を介してカラーフィルタ５３が形成されている。そして、カラーフィルタ５３の上に平坦化膜５４が、当該平坦化膜５４の上にマイクロレンズ（オンチップレンズ）５５が順に積層されている。
【００７３】
一方、半導体基板５１の基板表面側の層間絶縁膜５６内に、画素トランジスタ（図３のトランジスタ４１，４３〜４５）のゲート電極や金属配線が多層配線されて成る配線層５７が形成されている。そして、層間絶縁膜５６の半導体基板５１と反対側の面には、接着剤５８によって支持基板５９が貼り付けられている。
【００７４】
上記の裏面照射型の画素構造によれば、配線層５７が形成されていない基板裏面側から入射光を取り込むために、同じ面積の光電変換部３１であっても、表面照射型の画素構造よりも大量の光をとり入れ、格段にノイズの少ない画像を撮像することができる。また、光電変換部３１の受光面を考慮して配線層５７の各配線をレイアウトする必要が無いために、配線のレイアウトの自由度が高くなり、表面照射型の画素構造に比べて画素の微細化を図ることができる。
【００７５】
表面照射型の画素構造の場合、オーバーフローパス（ブルーミングパルス）をバルク側に形成できるのに対して、裏面照射型の画素構造の場合、上述した画素構造から明らかなように、光電変換部３１からフローティングディフュージョンＦＤ（図３の４２）へのオーバーフローパスとなる。これにより、裏面照射型の画素構造の場合、フローティングディフュージョンＦＤを隣接画素と共有すると、表面照射型の画素構造に比べてブルーミングの問題が発生し易い。従って、本実施形態に係るブルーミング対策の手法は、裏面照射型の画素構造に適用すると特に有用なものとなる。但し、裏面照射型の画素構造への適用に限られるものではなく、表面照射型の画素構造に適用してもよい。
【００７６】
［変形例］
上記の実施形態では、ブルーミング対策の手法を、画素アレイ部１１内に位相差検出画素２２を含む固体撮像素子に適用した場合を例に挙げて説明したが、これに限られるものではない。例えば、ダイナミックレンジの拡大を図る技術を用いた固体撮像素子にも適用することができる。ダイナミックレンジの拡大を図る技術として、次の２つの方式を例示することができる。
（１）時分割方式：蓄積時間の違いによる異なる感度で時分割で撮影し、時分割に撮影した複数の画像を合成し、ダイナミックレンジを拡大する方式。この時分割方式は、時分割の分割数を増やすことによってダイナミックレンジを拡大することができる。
（２）空間分割方式：カラーフィルタの感度が異なる画素を複数設け、これら感度が異なる複数の画素でそれぞれ撮影した複数の画像を合成し、ダイナミックレンジを拡大する方式。この空間分割方式は、空間分割の分割数を増やすことによってダイナミックレンジを拡大することができる。
【００７７】
また、上記の実施形態に係る固体撮像素子の構造として、カラム処理部１３、信号処理部１８、データ格納部１９等の構成要素を画素アレイ部１１と共に、同一の半導体基板上に搭載する、所謂、平置構造とすることができる。あるいは又、カラム処理部１３、信号処理部１８、データ格納部１９等の構成要素を、画素アレイ部１１が搭載された半導体基板と異なる、他の１つ以上の半導体基板に分散して搭載し、これらの半導体基板を積層した、所謂、積層構造とすることができる。
【００７８】
［電子機器］
以上説明した本実施形態に係る固体撮像素子は、デジタルスチルカメラやビデオカメラ等の撮像装置や、携帯電話機などの撮像機能を有する携帯端末装置や、画像読取部に固体撮像素子を用いる複写機などの電子機器全般において、その撮像部（画像取込部）として用いることができる。それ以外にも、自動車の前方や後方、周囲、車内等を撮影する車載用センサ、走行車両や道路を監視する監視カメラ、車両間等の測距を行う測距センサ等の交通の分野で用いる装置や、内視鏡、赤外光の受光による血管撮影を行う装置等の医療やヘルスケアの分野で用いる装置などにも用いることができる。
【００７９】
尚、固体撮像素子はワンチップとして形成された形態であってもよいし、撮像部と、信号処理部または光学系とがまとめてパッケージングされた撮像機能を有するモジュール状の形態であってもよい。電子機器に搭載される上記モジュール状の形態、即ち、カメラモジュールを撮像装置とする場合もある。
【００８０】
（撮像装置）
図１０は、本開示の電子機器の一例である撮像装置のシステム構成の概略を示すブロック図である。
【００８１】
図１０に示すように、本開示の撮像装置１００は、撮像光学系１０１、撮像部１０２、カメラ信号処理部であるＤＳＰ回路１０３、フレームメモリ１０４、表示装置１０５、記録装置１０６、操作系１０７、及び、電源系１０８等を有している。そして、ＤＳＰ回路１０３、フレームメモリ１０４、表示装置１０５、記録装置１０６、操作系１０７、及び、電源系１０８がバスライン１０９を介して相互に通信可能に接続されている。撮像装置１００は更に、光学系駆動部１１０及びシステムコントローラ１２０を備えている。
【００８２】
撮像光学系１０１は、ズームレンズａ、絞りｂ、フォーカスレンズｃ等を備えており、被写体からの入射光（像光）を取り込んで撮像部１０２の撮像面上に結像する。この撮像光学系１０１において、ズームレンズａは、光学系駆動部１１０による駆動の下に、光軸Ｏ方向に移動することによって焦点距離を変化させて、撮像画像に含まれる被写体の倍率を調整する。絞りｂは、光学系駆動部１１０による駆動の下に、開口の度合いを変化させることにより、撮像部１０２の撮像面に入射する被写体の像光の光量を調整する。フォーカスレンズｃは、光学系駆動部１１０による駆動の下に、光軸Ｏ方向に移動することによってフォーカスを調整する。
【００８３】
撮像部１０２は、撮像光学系１０１によって撮像面上に結像された被写体の像光（入射光）の光量を画素単位で電気信号に変換して画素信号として出力する。この撮像部１０２として、画素アレイ部内に位相差検出画素を備え、隣接画素間でフローティングディフュージョンＦＤを共有する先述した実施形態に係る固体撮像素子を用いることができる。
【００８４】
表示装置１０５は、液晶表示装置や有機ＥＬ(electro luminescence)表示装置等のパネル型表示装置から成り、撮像素子１０２で撮像された動画または静止画を表示する。記録装置１０６は、撮像素子１０２で撮像された動画または静止画を、可搬型の半導体メモリや、光ディスク、ＨＤＤ(Hard Disk Drive)等の記録媒体に記録する。
【００８５】
操作系１０７は、ユーザによる操作の下に、本撮像装置１００が持つ様々な機能について操作指令を発する。電源系１０８は、ＤＳＰ回路１０３、フレームメモリ１０４、表示装置１０５、記録装置１０６、及び、操作系１０７の動作電源となる各種の電源を、これら供給対象に対して適宜供給する。
【００８６】
光学系駆動部１１０は、システムコントローラ１２０による制御の下に、撮像光学系１０１のズームレンズａ、絞りｂ、フォーカスレンズｃ等を駆動する。システムコントローラ１２０は、撮像光学系１０１のオートフォーカスの制御や、上記の各構成要素の制御など、種々の制御を行う。
【００８７】
オートフォーカスの制御に関しては、先述した実施形態に係る固体撮像素子における位相差検出画素から出力される位相差検出信号に基づいて、例えばＤＳＰ回路１０３において、焦点のずれ方向及びずれ量を算出する演算処理が行われる。この演算結果を受けて、システムコントローラ１２０は、光学系駆動部１１０を介してフォーカスレンズｃをその光軸Ｏ方向に移動させることによって焦点（ピント）が合った状態にするフォーカス制御を行う。
【００８８】
上述したように、撮像部１０２として、先述した実施形態に係る固体撮像素子を用いることにより、次のような作用、効果を得ることができる。すなわち、当該固体撮像素子によれば、フローティングディフュージョンを共有する隣接画素の当該フローティングディフュージョンに、非読出し画素の電荷が流れ込むことを阻止できるために、隣接画素からの不要電荷のオーバーフローに起因するブルーミングの発生を抑えることができる。従って、撮像部１０２として、先述した実施形態に係る固体撮像素子を用いることで、ブルーミングのない、高画質の撮像画像を得ることができる。
【００８９】
［本開示がとることができる構成］
尚、本開示は、以下のような構成をとることもできる。
［１］光電変換部を含む単位画素が行列状に２次元配置され、複数の単位画素間でフローティングディフュージョンを共有する画素アレイ部と、
電荷を読み出す読出し画素のフローティングディフュージョンのリセット期間に、読出し画素とフローティングディフュージョンを共有する非読出し画素の電荷の一部をフローティングディフュージョンに捨てる駆動を行う駆動部と、
を備える固体撮像素子。
［２］駆動部は、読出し画素のフローティングディフュージョンのリセット期間に、非読出し画素の光電変換部とフローティングディフュージョンとの間の転送ゲート部のゲート下の障壁の高さを、電荷非転送時よりも下げる、
上記［１］に記載の固体撮像素子。
［３］駆動部は、読出し画素のフローティングディフュージョンのリセット期間に、転送ゲート部のゲート電極に、電荷転送時の電圧よりも低い電圧を印加する、
上記［２］に記載の固体撮像素子。
［４］フローティングディフュージョンを共有する非読出し画素は、被写体像の位相差を利用して被写体との距離を測定する位相差検出を行うための位相差検出画素である、
上記［１］〜［３］のいずれかに記載の固体撮像素子。
［５］位相差検出画素は、第１の光電変換部及び第２の光電変換部を有し、
第１の光電変換部は、位相差検出画素の第１側に隣接する画素とフローティングディフュージョンを共有し、
第２の光電変換部は、位相差検出画素の第２側に隣接する画素とフローティングディフュージョンを共有する、
上記［４］に記載の固体撮像素子。
［６］単位画素は、裏面照射型の画素構造を有する、
上記［１］〜［５］かのいずれかに記載の固体撮像素子。
［７］光電変換部を含む単位画素が行列状に２次元配置され、複数の単位画素間でフローティングディフュージョンを共有する固体撮像素子の駆動に当たって、
電荷を読み出す読出し画素のフローティングディフュージョンのリセット期間に、読出し画素とフローティングディフュージョンを共有する非読出し画素の電荷の一部をフローティングディフュージョンに捨てる、
固体撮像素子の駆動方法。
［８］読出し画素のフローティングディフュージョンのリセット期間に、非読出し画素の光電変換部とフローティングディフュージョンとの間の転送ゲート部のゲート下の障壁の高さを、電荷非転送時よりも下げる、
上記［７］に記載の固体撮像素子の駆動方法。
［９］読出し画素のフローティングディフュージョンのリセット期間に、転送ゲート部のゲート電極に、電荷転送時の電圧よりも低い電圧を印加する、
上記［８］に記載の固体撮像素子の駆動方法。
［１０］フローティングディフュージョンを共有する非読出し画素は、被写体像の位相差を利用して被写体との距離を測定する位相差検出を行うための位相差検出画素である、
上記［７］〜［９］のいずれかに記載の固体撮像素子の駆動方法。
［１１］位相差検出画素は、第１の光電変換部及び第２の光電変換部を有し、
第１の光電変換部は、位相差検出画素の第１側に隣接する画素とフローティングディフュージョンを共有し、
第２の光電変換部は、位相差検出画素の第２側に隣接する画素とフローティングディフュージョンを共有する、
上記［１０］に記載の固体撮像素子の駆動方法。
［１２］単位画素は、裏面照射型の画素構造を有する、
上記［７］〜［１１］のいずれかに記載の固体撮像素子の駆動方法。
［１３］光電変換部を含む単位画素が行列状に２次元配置され、複数の単位画素間でフローティングディフュージョンを共有する画素アレイ部と、
電荷を読み出す読出し画素のフローティングディフュージョンのリセット期間に、読出し画素とフローティングディフュージョンを共有する非読出し画素の電荷の一部をフローティングディフュージョンに捨てる駆動を行う駆動部と、
を備える固体撮像素子を有する、
電子機器。
【符号の説明】
【００９０】
１０・・・固体撮像素子、１１・・・画素アレイ部、１２・・・垂直駆動部、１３・・・カラム処理部、１４・・・垂直駆動部、１５・・・システム制御部、１６（１６1〜１６m）・・・画素駆動線、１７（１７1〜１７n）・・・垂直信号線、１８・・・信号処理部、１９・・・データ格納部、２０・・・単位画素、２１・・・撮像画素、２２・・・位相差検出画素、３１，３２Ａ，３２Ｂ・・・光電変換部、４１・・・転送トランジスタ（転送ゲート部）、４２・・・フローティングディフュージョン（ＦＤ）、４３・・・リセットトランジスタ、４４・・・増幅トランジスタ、４５・・・選択トランジスタ
【図１】
2018078405.tif 000003
【図２】
2018078405.tif 000004
【図３】
2018078405.tif 000005
【図４】
2018078405.tif 000006
【図５】
2018078405.tif 000007
【図６】
2018078405.tif 000008
【図７】
2018078405.tif 000009
【図８】
2018078405.tif 000010
【図９】
2018078405.tif 000011
【図１０】
2018078405.tif 000012